(57)【特許請求の範囲】
【請求項１】
映像及び音声信号を転送可能なリピータ機器と、該リピータ機器とＨＤＭＩ接続された表示装置とを備えるＡＶシステムであって、
前記表示装置は、該表示装置に入力される映像及び音声信号が前記リピータ機器を経由しているか否かを判定する入力経路判定手段と、該入力経路判定手段による判定結果に基づいて前記リピータ機器の電源オン／オフを制御する電源制御手段とを備えていることを特徴とするＡＶシステム。
【請求項２】
請求項１に記載のＡＶシステムにおいて、前記表示装置は、映像及び音声信号を出力可能なソース機器が前記リピータ機器を介して前記表示装置に接続された場合に、前記ソース機器が録画機器あるいは視聴機器として選択設定されているか判定する設定状態判定手段を備え、
前記電源制御手段は、前記入力経路判定手段及び／又は前記設定状態判定手段による判定結果に基づいて前記リピータ機器の電源オン／オフを制御することを特徴とするＡＶシステム。
【請求項３】
請求項１又は２に記載のＡＶシステムにおいて、前記入力経路判定手段により前記表示装置に入力される映像及び音声信号が前記リピータ機器を経由していないと判定された場合、前記電源制御手段は、前記リピータ機器を電源オフに制御することを特徴とするＡＶシステム。
【請求項４】
請求項１又は２に記載のＡＶシステムにおいて、前記入力経路判定手段により前記表示装置に入力される映像及び音声信号が前記リピータ機器を経由していると判定された場合、前記電源制御手段は、前記リピータ機器を電源オンに制御することを特徴とするＡＶシステム。
【請求項５】
請求項２に記載のＡＶシステムにおいて、前記入力経路判定手段により前記表示装置に入力される映像及び音声信号が前記リピータ機器を経由していないと判定され、且つ、前記設定状態判定手段により前記リピータ機器を介して接続されたソース機器が録画機器あるいは視聴機器として選択設定されていないと判定された場合、前記電源制御手段は、前記リピータ機器を電源オフに制御することを特徴とするＡＶシステム。
【請求項６】
請求項２に記載のＡＶシステムにおいて、前記入力経路判定手段により前記表示装置に入力される映像及び音声信号が前記リピータ機器を経由していないと判定され、且つ、前記設定状態判定手段により前記リピータ機器を介して接続されたソース機器が録画機器あるいは視聴機器として選択設定されていると判定された場合、前記電源制御手段は、前記リピータ機器を電源オンに制御することを特徴とするＡＶシステム。
【請求項７】
請求項１乃至６のいずれか１項に記載のＡＶシステムにおいて、前記電源制御手段は、前記リピータ機器がスタンバイ状態において映像及び音声信号を転送可能であるかどうか判定することを特徴とするＡＶシステム。
【請求項８】
請求項７に記載のＡＶシステムにおいて、前記電源制御手段は、前記リピータ機器がスタンバイ状態において映像及び音声信号を転送可能である場合、前記リピータ機器を電源オフに制御することを特徴とするＡＶシステム。
【請求項９】
請求項１乃至８のいずれか１項に記載のＡＶシステムにおいて、前記表示装置は、前記リピータ機器の電源オン／オフを制御するためのＣＥＣメッセージを送信するＣＥＣインタフェースを備えることを特徴とするＡＶシステム。
【請求項１０】
請求項１乃至９のいずれか１項に記載のＡＶシステムにおいて、前記表示装置は、音声信号を前記リピータ機器に転送するための音声信号転送手段を備え、
前記リピータ機器は、前記ソース機器あるいは前記音声信号転送手段から転送された音声信号を出力可能なＡＶアンプであることを特徴とするＡＶシステム。
【請求項１１】
請求項１乃至１０のいずれか１項に記載のＡＶシステムを構成する表示装置。
【発明の詳細な説明】
【技術分野】
【０００１】
本発明は、ＡＶシステム及び表示装置、より詳細には、レコーダやＡＶアンプ等の外部機器とＨＤＭＩ（High Definition Multimedia Interface）接続される表示装置を備えたＡＶシステムに関する。
【背景技術】
【０００２】
近年のテレビジョン放送受信機のデジタル化に伴い、視聴できるチャンネル数が増え、データ放送等も受信できるようになってきた。また、テレビの大画面化が進むとともにテレビと外部機器との接続方法も多様化し、接続機器相互の連携を図ることも可能となった。
【０００３】
最近、テレビやレコーダなどの外部機器間をデジタル接続するためのデジタルインタフェースの一つとして、ＨＤＭＩが普及している。ＨＤＭＩは、ＰＣとディスプレイの接続標準規格であるＤＶＩに音声伝送機能や著作権保護機能を加えて、ＡＶ機器向けにアレンジしたものとなっている。
従来は機器間の接続にビデオ、オーディオ，コントロールの各信号用の複数のケーブルを用いていたが、ＨＤＭＩではケーブル１本で済むために、機器間の配線を簡略化することができる。
【０００４】
ＨＤＭＩに関する規格は規格化団体であるＨＤＭＩ  Ｌｉｃｅｎｓｉｎｇ，ＬＬＣにより２００２年１２月に基本仕様が策定され（ＨＤＭＩ規格Ｖｅｒ１.０）、２００５年１２月にＡＶ機器間のコントロールを行うための制御プロトコルとしてＣＥＣ（Consumer Electronics Control）の規定が追加された（ＨＤＭＩ規格Ｖｅｒ１.２ａ，非特許文献１参照）。以後、何度かの改定が行われてきているが、以下、ＣＥＣに関する記載についてはＨＤＭＩ規格Ｖｅｒ１.２ａ以降の規格に準拠するものとし、特に断らない限りＨＤＭＩ規格と称する。
【０００５】
なお、ＣＥＣに関する用語は、ＨＤＭＩ規格の「2.2 Glossary of Terms」,「CEC 2.2 Glossary of Terms」他に定義されており、ＨＤＭＩ入力端子を持つものはシンク（Sink）機器と、ＨＤＭＩ出力端子を持ちＡＶストリームを出力するものはソース（Source）機器と、ＨＤＭＩ入力端子と出力端子を持ちＡＶストリームの入出力（転送）を行うものはリピータ（Repeater）機器と定義されている。
【０００６】
ＨＤＭＩ規格ではＣＥＣを使った機器間制御が定義されている。このＣＥＣによれば、ＨＤＭＩネットワーク上に存在する各機器に割り当てられる固有の物理アドレスと論理アドレスに基づいて様々な制御を可能としている。例えば、ユーザがテレビでデジタル放送を視聴しているときに、ＨＤＭＩで接続されたＤＶＤプレーヤを再生すると、テレビは自動的にＤＶＤプレーヤの接続された入力に切り換える。また、このＤＶＤプレーヤで表示しているメニュー操作や、電源のオン／オフなどをテレビのリモコンから操作することができる。
【０００７】
ここで、テレビとＡＶアンプとＤＶＤプレーヤがこの順番でＨＤＭＩ接続され、ＤＶＤプレーヤからの映像音声信号を出力する際に、映像信号をテレビから出力し、音声信号をＡＶアンプのスピーカから出力している場合を想定する。例えば、特許文献１には、音声出力モード（すなわち、テレビから音声を出すか、ＡＶアンプから音声を出すか）を、ＤＶＤプレーヤからの要求によって決定し、テレビがＤＶＤプレーヤからの要求に基づいてＡＶアンプへの指示を行うようにした音声出力システムが記載されている。
【０００８】
特許文献１をはじめとする従来技術の場合、ユーザ操作により、テレビのスピーカから音声信号を出力するように切り換えられると、ＡＶアンプ側の音声は消音（ミュート）あるいは音量０に設定されるように制御されていた。
【非特許文献１】High-Definition Multimedia Interface Specification Version 1.2a   Supplement 1 Consumer Electronics Control(CEC),December 14 2005
【特許文献１】特開２００７−１２４５５２号公報
【発明の開示】
【発明が解決しようとする課題】
【０００９】
しかしながら、上記のようなＨＤＭＩ接続されたＡＶシステムにおいて、音声ミュートあるいは音量０に設定されたＡＶアンプには電源が常に入っているために、使用されないにも係らず無駄な電力を消費していた。
この場合、ＡＶアンプを使用しないときは常にＡＶアンプの電源をオフにすれば消費電力を抑えることが可能となるが、ＡＶアンプを経由してＨＤＭＩ接続された機器からの映像等を視聴中にＡＶアンプを電源オフ（スタンバイ状態）にしてしまうと、ＡＶアンプによっては映像及び音声信号をテレビに転送しないものがあるため、ＤＶＤプレーヤからの映像及び音声信号をテレビで視聴できなくなるという問題がある。
【００１０】
本発明は、上述のごとき実情に鑑みてなされたものであり、ＡＶアンプ等のリピータ機器と、リピータ機器とＨＤＭＩ接続された表示装置とを備えるＡＶシステムにおいて、表示装置に入力される映像及び音声信号の入力経路を判定し、その判定結果に基づいてリピータ機器の電源オン／オフを制御すること、を目的とする。
【課題を解決するための手段】
【００１１】
上記課題を解決するために、本発明の第１の技術手段は、映像及び音声信号を転送可能なリピータ機器と、該リピータ機器とＨＤＭＩ接続された表示装置とを備えるＡＶシステムであって、前記表示装置は、該表示装置に入力される映像及び音声信号が前記リピータ機器を経由しているか否かを判定する入力経路判定手段と、該入力経路判定手段による判定結果に基づいて前記リピータ機器の電源オン／オフを制御する電源制御手段とを備えていることを特徴としたものである。
【００１２】
第２の技術手段は、第１の技術手段において、前記表示装置は、映像及び音声信号を出力可能なソース機器が前記リピータ機器を介して前記表示装置に接続された場合に、前記ソース機器が録画機器あるいは視聴機器として選択設定されているか判定する設定状態判定手段を備え、前記電源制御手段は、前記入力経路判定手段及び／又は前記設定状態判定手段による判定結果に基づいて前記リピータ機器の電源オン／オフを制御することを特徴としたものである。
【００１３】
第３の技術手段は、第１又は第２の技術手段において、前記入力経路判定手段により前記表示装置に入力される映像及び音声信号が前記リピータ機器を経由していないと判定された場合、前記電源制御手段は、前記リピータ機器を電源オフに制御することを特徴としたものである。
【００１４】
第４の技術手段は、第１又は第２の技術手段において、前記入力経路判定手段により前記表示装置に入力される映像及び音声信号が前記リピータ機器を経由していると判定された場合、前記電源制御手段は、前記リピータ機器を電源オンに制御することを特徴としたものである。
【００１５】
第５の技術手段は、第２の技術手段において、前記入力経路判定手段により前記表示装置に入力される映像及び音声信号が前記リピータ機器を経由していないと判定され、且つ、前記設定状態判定手段により前記リピータ機器を介して接続されたソース機器が録画機器あるいは視聴機器として選択設定されていないと判定された場合、前記電源制御手段は、前記リピータ機器を電源オフに制御することを特徴としたものである。
【００１６】
第６の技術手段は、第２の技術手段において、前記入力経路判定手段により前記表示装置に入力される映像及び音声信号が前記リピータ機器を経由していないと判定され、且つ、前記設定状態判定手段により前記リピータ機器を介して接続されたソース機器が録画機器あるいは視聴機器として選択設定されていると判定された場合、前記電源制御手段は、前記リピータ機器を電源オンに制御することを特徴としたものである。
【００１７】
第７の技術手段は、第１乃至第６のいずれか１の技術手段において、前記電源制御手段は、前記リピータ機器がスタンバイ状態において映像及び音声信号を転送可能であるかどうか判定することを特徴としたものである。
【００１８】
第８の技術手段は、第７の技術手段において、前記電源制御手段は、前記リピータ機器がスタンバイ状態において映像及び音声信号を転送可能である場合、前記リピータ機器を電源オフに制御することを特徴としたものである。
【００１９】
第９の技術手段は、第１乃至第８のいずれか１の技術手段において、前記表示装置は、前記リピータ機器の電源オン／オフを制御するためのＣＥＣメッセージを送信するＣＥＣインタフェースを備えることを特徴としたものである。
【００２０】
第１０の技術手段は、第１乃至第９のいずれか１の技術手段において、前記表示装置は、音声信号を前記リピータ機器に転送するための音声信号転送手段を備え、前記リピータ機器は、前記ソース機器あるいは前記音声信号転送手段から転送された音声信号を出力可能なＡＶアンプであることを特徴としたものである。
【００２１】
第１１の技術手段は、第１乃至第１０のいずれか１の技術手段におけるＡＶシステムを構成する表示装置である。
【発明の効果】
【００２２】
本発明によれば、表示装置へ入力される映像及び音声信号がリピータ機器を経由している場合にはリピータ機器を電源オンのままミュート状態に制御し、一方、映像及び音声信号がリピータ機器を経由していない場合にはリピータ機器を電源オフに制御することができるため、表示装置における視聴を妨げることなく、ＡＶシステム全体の消費電力を低減することができる。
【発明を実施するための最良の形態】
【００２３】
以下、添付図面を参照しながら、本発明のＡＶシステム及び該ＡＶシステムを構成する表示装置に係る好適な実施の形態について説明する。本発明の実施形態においては、ＨＤＭＩ規格に含まれるＣＥＣメッセージを使用する。このＣＥＣメッセージとはＨＤＭＩで規格化されている機器制御信号である。
【００２４】
（第１の実施形態）
図１は、本発明の第１の実施形態に係るＡＶシステムの構成例を示すブロック図で、図中、１は表示装置（以下、ＴＶで代表する）、２はＢＤ（Blu-ray）プレーヤ、３はＤＶＤレコーダ、４はＡＶアンプ、５はＨＤＤレコーダ、６はＤＶＤプレーヤを示す。ＴＶ１は映像信号を表示すると共に音声信号を出力可能なシンク機器であり、ＢＤプレーヤ２，ＤＶＤレコーダ３，ＨＤＤレコーダ５，及びＤＶＤプレーヤ６は映像及び音声信号を出力するソース機器であり、ＡＶアンプ４は映像及び音声信号を中継するリピータ機器である。これらの機器は互いにＨＤＭＩ接続されており、各機器に割り当てられている（０.０.０.０），（１.０.０.０），…，（２.０.０.０）の数字は各機器の接続位置を示す物理アドレスである。なお、図中、実線はＨＤＭＩライン、一点鎖線は映像ライン、二点鎖線は音声ライン、二重線はＣＥＣライン、点線は制御ラインを示す。
【００２５】
ここで、ＣＥＣにおける論理アドレスと物理アドレスについて簡単に説明する。
まず、論理アドレスは、ＨＤＭＩ  ＣＥＣにおけるＶｅｒ１.２ａの規格では、０〜１５まで扱えることになっており、ＨＤＭＩネットワーク内では唯一名となっている。この論理アドレスは外部機器の種類に応じて異なっている。
【００２６】
また、物理アドレスは、ＨＤＭＩネットワーク内では唯一名となっているが、外部機器がＨＤＭＩネットワークに追加されたり、切り離されたりすると自動的に調整される。物理アドレスは、５階層のアドレスを持ち、同一階層における唯一番号ｎから構成され、ｎ.ｎ.ｎ.ｎ形式で表現される。表示装置に直接接続された外部機器の階層を第１階層とした場合、この第１階層の機器に接続された外部機器が第２階層となり、表示装置から離れるに従って階層番号を増やしていく。そして、上記形式ｎ.ｎ.ｎ.ｎの左端のｎから右に行くに従って階層番号が増えるように表記する。
【００２７】
例えば、ＴＶ１はルートデバイスであり、“０.０.０.０”の物理アドレスを持つ。このＴＶ１に直接３台の外部機器が接続された場合、１台目のＢＤプレーヤ２の物理アドレスは“１.０.０.０”、２台目のＡＶアンプ４の物理アドレスは、“２.０.０.０”、３台目のＤＶＤレコーダ３の物理アドレスは、“３.０.０.０”と表記される。そしてさらに、ＡＶアンプ４に２台の外部機器（ＨＤＤレコーダ５，ＤＶＤプレーヤ６）を接続すると、それぞれの物理アドレスは、“２.１.０.０”、“２.２.０.０”と表記される。
【００２８】
表示装置にＨＤＭＩ接続された外部機器は、このような論理アドレスと物理アドレスを持つために、たとえ複数台の外部機器が接続されていても、特定の１台を指定してＣＥＣメッセージを送信することが可能となる。
【００２９】
図１において、ＴＶ１は、映像信号を表示するＬＣＤ（Liquid Crystal Display）１０１と、ＬＣＤ１０１を駆動制御するＬＣＤコントローラ１０２と、映像及び音声信号を含む放送信号を受信するチューナ１０３と、映像及び音声信号を記録した外部記録媒体を着脱可能に接続する外部入力部１０４と、音声信号の出力先（ＴＶ１あるいはＡＶアンプ４）を切り換えるオーディオスイッチ（オーディオＳＷ）１０５と、ＨＤＭＩ端子１０７〜１０９を介して映像及び音声信号を受信するＨＤＭＩレシーバ１０６と、アナログの映像及び音声信号を出力するアナログ出力部１１０と、音声信号をデジタル転送するための光デジタル音声端子１１１と、スピーカ１１３，１１４を接続し音声を出力する音声出力端子１１２と、ＨＤＭＩ機能を含むＴＶ１の機能を制御するマイコン１１５と、ＬＣＤ１０１に表示させる映像信号を切り換えるビデオスイッチ（ビデオＳＷ）１１６とを備える。
なお、チューナ１０３等から入力されるデジタル信号に含まれる映像及び音声信号は図示しないデマルチプレクサで映像信号と音声信号に分離され、図示しないデコーダでデコード処理される。そして、映像信号はビデオＳＷ１１６に入力され、音声信号はオーディオＳＷ１０５に入力される。
【００３０】
ＴＶ１の場合、ＨＤＭＩ端子１０７〜１０９により、それぞれＢＤプレーヤ２、ＡＶアンプ４、ＤＶＤレコーダ３とＨＤＭＩ接続され、ＨＭＤＩ端子１０７〜１０９は、機器間でＣＥＣメッセージを相互に送受信するためのＣＥＣインタフェース（図示せず）を備える。ＨＤＭＩ端子１０７〜１０９にはＨＤＭＩケーブル７が接続される。このＨＤＭＩケーブル７は、機器間で共通の制御信号（ＣＥＣメッセージ）を伝送する双方向バスであるＣＥＣライン７ａと、デジタル信号である映像・音声信号を差動方式で伝送するためのＴＭＤＳ(Transition Minimized Differential Signaling)ライン（デジタル信号ライン）７ｂとを含んでいる。またこの他、ＨＤＭＩケーブル７には、ＥＤＩＤ（Extended Display Identification Data）の送信やＨＤＣＰ(High-bandwidth Digital Content Protection system)認証等に利用される図示しないＤＤＣ(Display Data Channel)ラインが含まれる。
【００３１】
ＡＶアンプ４は、ＴＶ１とＨＤＭＩ接続するためのＨＤＭＩ端子４０１と、ＨＤＭＩ端子４０１を介して映像及び音声信号を送信するＨＤＭＩトランスミッタ４０２と、ＡＶアンプ４から出力させる映像信号を切り換えるビデオスイッチ（ビデオＳＷ）４０３と、ＨＤＭＩ端子４０５，４０６を介して映像及び音声信号を受信するＨＤＭＩレシーバ４０４と、アナログの映像及び音声信号を入力するアナログ入力部４０７と、アナログ信号をデジタル信号に変換するＡＤコンバータ４０８と、光デジタル転送された音声信号を入力する光デジタル音声端子４０９と、音声信号の出力先（ＴＶ１あるいはＡＶアンプ４）を切り換えるオーディオＳＷ４１０と、スピーカ４１２，４１３を接続し音声を出力する音声出力端子４１１と、ＨＤＭＩ機能を含むＡＶアンプ４の機能を制御するマイコン４１４とを備える。
【００３２】
ＡＶアンプ４の場合、出力側のＨＤＭＩ端子４０１により、ＴＶ１とＨＤＭＩ接続され、入力側のＨＤＭＩ端子４０５，４０６により、それぞれＨＤＤレコーダ５、ＤＶＤプレーヤ６とＨＤＭＩ接続される。なお、ＨＤＭＩ端子４０１，４０５，４０６は、ＣＥＣメッセージを送受信するための前述のＣＥＣインタフェースを備える。
【００３３】
また、ＢＤプレーヤ２はＨＤＭＩ端子２０１を備え、ＤＶＤレコーダ３はＨＤＭＩ端子３０１を備え、ＨＤＤレコーダ５はＨＤＭＩ端子５０１を備え、ＤＶＤプレーヤ６はＨＤＭＩ端子６０１を備える。これらソース機器は、映像及び音声信号を出力するものであり、各ソース機器の構成については説明を省略するものとする。
【００３４】
ここで、ＴＶ１は、ＨＤＭＩ接続されたＢＤプレーヤ２またはＤＶＤレコーダ３からの映像及び音声信号を受信すると、映像信号をＬＣＤ１０１に表示させると共に、音声信号を内蔵のスピーカ１１３，１１４から出力させるか、あるいは、ＡＶアンプ４に転送し、ＡＶアンプ４のスピーカ４１２，４１３から出力させることができる。音声信号の出力先の切り換えはオーディオＳＷ１０５を切り換えることで行い、ＡＶアンプ４側に切り換えられた場合、音声信号は光デジタル音声端子１１１からＡＶアンプ４に転送される。
【００３５】
同様に、ＴＶ１は、チューナ１０３または外部入力部１０４からの映像及び音声信号を受信すると、映像信号をＬＣＤ１０１に表示させると共に、音声信号を内蔵のスピーカ１１３，１１４から出力させるか、あるいは、ＡＶアンプ４に転送し、ＡＶアンプ４のスピーカ４１２，４１３から出力させることができる。音声信号の出力先の切り換えはオーディオＳＷ１０５を切り換えることで行い、ＡＶアンプ４側に切り換えられた場合、音声信号は光デジタル音声端子１１１からＡＶアンプ４に転送される。
【００３６】
また、ＴＶ１は、ＡＶアンプ４を介して、ＨＤＤレコーダ５またはＤＶＤプレーヤ６からの映像及び音声信号を受信することもできる。この際、ＡＶアンプ４は、ＨＤＭＩ接続されたＨＤＤレコーダ５またはＤＶＤプレーヤ６からの映像及び音声信号を受信すると、映像信号をＴＶ１に出力すると共に、音声信号を内蔵のスピーカ４１２，４１３から出力させるか、あるいは、ＴＶ１に転送し、ＴＶ１のスピーカ１１３，１１４から出力させることができる。音声信号の出力先の切り換えはオーディオＳＷ４１０を切り換えることで行い、ＴＶ１側に切り換えられた場合、音声信号はＨＤＭＩ端子４０１からＴＶ１に転送される。
【００３７】
本発明の主たる特徴部分は、ＡＶアンプ等のリピータ機器と、リピータ機器とＨＤＭＩ接続された表示装置とを備えるＡＶシステムにおいて、表示装置に入力される映像及び音声信号の入力経路を判定し、その判定結果に基づいてリピータ機器の電源オン／オフを制御することにある。例えば、ユーザがＴＶ１のＯＳＤメニューを操作することにより、音声信号の出力先がＡＶアンプ４からＴＶ１に切り換えられた場合、ＴＶ１は、ＴＶ１に入力される映像及び音声信号がＡＶアンプ４を経由しているかどうかを判定し、その判定結果に基づいてＡＶアンプ４の電源オン／オフを制御する。なお、ここでいう電源オフとは、ＣＥＣメッセージの送受信とリモコン信号の受信とが可能なスタンバイ状態をいう。
【００３８】
このための構成として、ＴＶ１は、ＴＶ１に入力される映像及び音声信号がＡＶアンプ４を経由しているか否かを判定する入力経路判定手段と、入力経路判定手段による判定結果に基づいてＡＶアンプ４の電源オン／オフを制御する電源制御手段とを備える。なお、本発明の入力経路判定手段及び電源制御手段は、マイコン１１５によって実現される。マイコン１１５は、ＨＤＭＩ端子１０８のＣＥＣインタフェース（図示せず）を制御して、映像及び音声信号の入力経路の判定結果に基づいて、ＡＶアンプ４の電源オン／オフを制御するためのＣＥＣメッセージを送信させる。このＣＥＣメッセージとしては、例えば、メーカ独自に定義されるベンダメッセージを用いることができる。
【００３９】
マイコン１１５は、ＴＶ１へ入力される映像及び音声信号がＡＶアンプ４を経由している場合にはＡＶアンプ４を電源オンのままミュート状態（すなわち、ミュートあるいは音量ゼロの状態）に制御し、一方、映像及び音声信号がＡＶアンプ４を経由していない場合にはＡＶアンプ４を電源オフに制御する。
【００４０】
このため、ＡＶアンプ４を経由したＨＤＭＩ入力を視聴中にＡＶアンプ４を電源オフ（スタンバイ状態）にしてしまい、ＡＶアンプ４が映像及び音声信号をＴＶ１に転送しなくなる等の不都合を防止し、ＴＶ１における視聴を妨げることなく、ＡＶシステム全体の消費電力を低減することができる。
【００４１】
また、ＴＶ１は、ソース機器（ＨＤＤレコーダ５，ＤＶＤプレーヤ６）がＡＶアンプ４を介してＴＶ１に接続された場合に、ソース機器が録画機器あるいは視聴機器として選択設定されているか判定する設定状態判定手段を備えるようにしてもよい。この設定状態判定手段はマイコン１１５によって実現される。図１の例の場合、ＡＶアンプ４にＨＤＤレコーダ５及びＤＶＤプレーヤ６が接続されているが、マイコン１１５は、ＨＤＤレコーダ５が録画機器として選択設定されているか、ＨＤＤレコーダ５あるいはＤＶＤプレーヤ６が視聴機器として選択設定されているかどうかを判定する。
【００４２】
この場合、マイコン１１５は、ＨＤＤレコーダ５が録画機器として選択設定されている場合、ＡＶアンプ４を電源オンのままミュート状態に制御し、一方、ＨＤＤレコーダ５が録画機器として選択設定されていない場合、ＡＶアンプ４を電源オフに制御する。
【００４３】
上記について、ＡＶアンプ経由のＨＤＭＩ入力に録画機器や視聴機器として設定されているソース機器が存在する場合、ＡＶアンプの電源をオフにしてしまうと、ＯＳＤメニュー上の例えば「レコーダで予約する」，「録画リスト」，「メディア切換」などでＡＶアンプに接続されているＨＤＭＩ入力へ切り換わったときに、ＡＶアンプの起動処理に時間がかかり、ソース機器の映像や音声を出力するまで時間がかかってしまう。このため、上述の設定状態判定手段による処理を行うことで、ＡＶアンプ経由で上記ソース機器が存在する場合、ＡＶアンプの電源をオフしないように制御して切り換え時間を早くすることができる。
【００４４】
また、ＴＶ１は、音声信号をＡＶアンプ４に転送するための音声信号転送手段に相当する光デジタル音声端子１１１を備える。ＡＶアンプ４は、ソース機器であるＨＤＤレコーダ５，ＤＶＤプレーヤ６、あるいは、ＴＶ１が備える光デジタル音声端子１１１から転送された音声信号を出力することができる。
【００４５】
ＴＶ１から映像信号を出力し、ＡＶアンプ４から音声信号を出力している状態で、ＡＶアンプ４からＴＶ１に音声信号の出力先が切り換えられると、マイコン１１５は、前述の入力経路判定手段及び／又は設定状態判定手段による各判定処理を実行する。
【００４６】
マイコン１１５は、上記判定結果に基づいて、ＣＥＣメッセージを送信することによりＡＶアンプ４の電源制御を行う。下記に代表的な電源制御パターン（１）〜（４）を例示する。
（１）ＴＶ１に入力される映像及び音声信号がＡＶアンプ４を経由していないと判定された場合、ＡＶアンプ４を電源オフに制御する。
図１のＡＶシステムにおいて、ＢＤプレーヤ２からの映像信号をＴＶ１で表示させ、音声信号をＡＶアンプ４で出力させている場合を想定する。音声信号の出力先がＡＶアンプ４からＴＶ１に切り換えられた場合、ＴＶ１に入力される映像及び音声信号は、ＡＶアンプ４を経由していないため、ＡＶアンプ４の電源をオフにしても、ＴＶ１での視聴に影響はない。このため、ＡＶアンプ４の電源をオフにして消費電力を低減させる。
【００４７】
（２）ＴＶ１に入力される映像及び音声信号がＡＶアンプ４を経由していると判定された場合、ＡＶアンプ４を電源オンのままミュート状態に制御する。
図１のＡＶシステムにおいて、ＤＶＤプレーヤ６からの映像信号をＴＶ１で表示させ、音声信号をＡＶアンプ４で出力させている場合を想定する。音声信号の出力先がＡＶアンプ４からＴＶ１に切り換えられた場合、ＴＶ１に入力される映像及び音声信号は、ＡＶアンプ４を経由しているため、ＡＶアンプ４の電源をオフにすると、映像及び音声信号が転送されずＴＶ１で視聴できなくなる。このため、ＡＶアンプ４の電源をオフにしない。
【００４８】
（３）ＴＶ１に入力される映像及び音声信号がＡＶアンプ４を経由せず且つＡＶアンプ４に接続されているソース機器が録画機器あるいは視聴機器として選択設定されていないと判定された場合、ＡＶアンプ４を電源オフに制御する。
図１のＡＶシステムにおいて、チューナ１０３あるいは外部入力部１０４からの映像信号をＴＶ１で表示させ、音声信号をＡＶアンプ４で出力させ、ＡＶアンプ４に接続されていないＤＶＤレコーダ３が録画機器として設定されている場合を想定する。音声信号の出力先がＡＶアンプ４からＴＶ１に切り換えられた場合、ＴＶ１に入力される映像及び音声信号はＡＶアンプ４を経由しておらず、さらに、ＡＶアンプ４に接続されているＨＤＤレコーダ５又はＤＶＤプレーヤ６が選択設定されていないため、ＡＶアンプ４の電源をオフにしても、ＡＶシステムの動作に影響はない。このため、ＡＶアンプ４の電源をオフにして消費電力を低減させる。
【００４９】
上記（３）の別の例として、図１のＡＶシステムにおいて、ＡＶアンプ４を経由しないＢＤプレーヤ２からの映像信号をＴＶ１で表示させ、音声信号をＡＶアンプ４で出力させ、ＡＶアンプ４に接続されていないＤＶＤレコーダ３が録画機器として設定されている場合を想定する。音声信号の出力先がＡＶアンプ４からＴＶ１に切り換えられた場合、ＴＶ１に入力される映像及び音声信号はＡＶアンプ４を経由しておらず、さらに、ＡＶアンプ４に接続されているＨＤＤレコーダ５又はＤＶＤプレーヤ６が選択設定されていないため、ＡＶアンプ４の電源をオフにしても、ＡＶシステムの動作に影響はない。このため、ＡＶアンプ４の電源をオフにして消費電力を低減させる。
【００５０】
（４）ＴＶ１に入力される映像及び音声信号がＡＶアンプ４を経由せず且つＡＶアンプ４に接続されているソース機器が録画機器あるいは視聴機器として選択設定されていると判定された場合、ＡＶアンプ４を電源オンのままミュート状態に制御する。
図１のＡＶシステムにおいて、チューナ１０３あるいは外部入力部１０４からの映像信号をＴＶ１で表示させ、音声信号をＡＶアンプ４で出力させ、ＡＶアンプ４に接続されているＨＤＤレコーダ５が録画機器として設定されている場合を想定する。音声信号の出力先がＡＶアンプ４からＴＶ１に切り換えられた場合、ＴＶ１に入力される映像及び音声信号はＡＶアンプ４を経由していないが、ＡＶアンプ４に接続されているＨＤＤレコーダ５が録画機器として選択設定されているため、ＡＶアンプ４の電源をオフにしない。
【００５１】
上記（４）の別の例として、図１のＡＶシステムにおいて、ＡＶアンプ４を経由しないＢＤプレーヤ２からの映像信号をＴＶ１で表示させ、音声信号をＡＶアンプ４で出力させ、ＡＶアンプ４に接続されているＨＤＤレコーダ５が録画機器として設定されている場合を想定する。音声信号の出力先がＡＶアンプ４からＴＶ１に切り換えられた場合、ＴＶ１に入力される映像及び音声信号はＡＶアンプ４を経由していないが、ＡＶアンプ４に接続されているＨＤＤレコーダ５が録画機器として選択設定されているため、ＡＶアンプ４の電源をオフにしない。
【００５２】
ここで、本発明に係るリピータ機器は、ＡＶアンプ４に限定されず、ソース機器の切り換え機能を備えたＨＤＭＩスイッチャ（以下、ＨＤＭＩ-ＳＷ）であってもよい。このＨＤＭＩ-ＳＷの場合、ＡＶアンプ４のようなアンプ機能を持たないが、接続されているソース機器を切り換えて、ＴＶ１に映像及び音声信号を中継することができる。
【００５３】
図２は、リピータ機器にＨＤＭＩ-ＳＷを適用した場合のＡＶシステムの動作例を説明するためのフロー図である。
まず、ＴＶ１は、ＨＤＭＩ入力による映像及び音声信号を視聴しているかどうかを判定し（ステップＳ１）、ＨＤＭＩ入力を視聴していると判定された場合（ＹＥＳの場合）、ＴＶ１に入力される映像及び音声信号がＨＤＭＩ-ＳＷを経由しているかどうか判定する（ステップＳ２）。そして、映像及び音声信号がＨＤＭＩ-ＳＷを経由していると判定した（ＹＥＳの場合）、ＨＤＭＩ-ＳＷの機能制御を行うためのＣＥＣメッセージを送信する（ステップＳ３）。また、ステップＳ１において、ＨＤＭＩ入力を視聴していないと判定された場合（ＮＯの場合）、および、ステップＳ２において、映像及び音声信号がＨＤＭＩ-ＳＷを経由していないと判定した場合（ＮＯの場合）、ステップＳ４に移行する。
【００５４】
ＴＶ１は、ステップＳ４において、ＨＤＭＩ入力に接続されているソース機器が録画機器（あるいは視聴機器）として選択設定されているか判定する。当該ソース機器が録画機器として選択設定されていると判定された場合（ＹＥＳの場合）、録画機器として選択設定されたソース機器がＨＤＭＩ-ＳＷの入力に接続されているかどうか判定する（ステップＳ５）。
【００５５】
ＴＶ１は、ステップＳ５において、録画機器として選択設定されたソース機器がＨＤＭＩ-ＳＷの入力に接続されている場合（ＹＥＳの場合）、ステップＳ３に移行して、ＨＤＭＩ-ＳＷの機能制御を行うためのＣＥＣメッセージを送信する。また、ステップＳ５において、録画機器として選択設定されたソース機器がＨＤＭＩ-ＳＷの入力に接続されていないと判定された場合（ＮＯの場合）、ＨＤＭＩ-ＳＷの電源をオフするＣＥＣメッセージを送信する（ステップＳ６）。
【００５６】
図３は、リピータ機器にＡＶアンプを適用した場合のＡＶシステムの動作例を説明するためのフロー図である。本例の場合、ＴＶ１が映像信号を表示し、ＡＶアンプ４のスピーカから音声信号を出力している状態にあり、またＴＶ１はミュート状態にあるものとする。
まず、ＴＶ１は、ユーザがＯＳＤメニューを操作して、音声出力先をＡＶアンプ側スピーカからＴＶ側スピーカに切り換えると（ステップＳ１１）、ＨＤＭＩ入力による映像及び音声信号を視聴しているかどうか判定する（ステップＳ１２）。
【００５７】
ＴＶ１は、ステップＳ１２において、ＨＤＭＩ入力を視聴していると判定された場合（ＹＥＳの場合）、ＴＶ１に入力される映像及び音声信号がＡＶアンプ４を経由しているかどうか判定する（ステップＳ１３）。映像及び音声信号がＡＶアンプ４を経由していると判定された場合（ＹＥＳの場合）、ＡＶアンプ４側の音声出力を電源オンのままミュート状態にするためのＣＥＣメッセージを送信する（ステップＳ１４）。そして、ＡＶアンプ４は、ＴＶ１からのＣＥＣメッセージを受けて、ＡＶアンプ４側のオーディオＳＷ４１０の音声経路を切り換えて、ＨＤＭＩレシーバ４０４からの入力をＨＤＭＩトランスミッタ４０２に出力させる（ステップＳ１５）。また、ステップＳ１３において、映像及び音声信号がＡＶアンプ４を経由していないと判定された場合（ＮＯの場合）、ステップＳ２０に移行する。
【００５８】
ＴＶ１は、ステップＳ１５の処理の後に、ＨＤＭＩ入力による映像及び音声信号を視聴しているかどうか判定し（ステップＳ１６）、ＨＤＭＩ入力を視聴していると判定された場合（ＹＥＳの場合）、ＴＶ１側のオーディオＳＷ１０５をＨＤＭＩレシーバ１０６からの音声出力に切り換える（ステップＳ１７）。最後に、ＴＶ側のミュート状態を解除する（ステップＳ１９）。また、ＨＤＭＩ入力を視聴していないと判定された場合（ＮＯの場合）、ＴＶ１側のオーディオＳＷ１０５をＨＤＭＩレシーバ１０６以外からの音声出力に切り換え（ステップＳ１８）、ステップＳ１９に移行する。
【００５９】
一方、ＴＶ１は、ステップＳ１２において、ＨＤＭＩ入力を視聴していないと判定された場合（ＮＯの場合）、ＨＤＭＩ入力に接続されているソース機器が録画機器（あるいは視聴機器）として選択設定されているかどうか判定する（ステップＳ２０）。当該ソース機器が録画機器として選択設定されていると判定された場合（ＹＥＳの場合）、録画機器として選択設定されたソース機器がＡＶアンプ４の入力に接続されているかどうか判定する（ステップＳ２１）。そして、録画機器として選択設定されたソース機器がＡＶアンプ４の入力に接続されていると判定された場合（ＹＥＳの場合）、ステップＳ１４に移行し、そうでない場合（ＮＯの場合）、ステップＳ２２に移行する。
【００６０】
また、ＴＶ１は、ステップＳ２０において、当該ソース機器が録画機器として選択設定されていないと判定された場合（ＮＯの場合）、ＡＶアンプ４の電源をオフするＣＥＣメッセージを送信する（ステップＳ２２）。ＡＶアンプ４は、ＴＶ１からのＣＥＣメッセージを受けて、電源をオフし、スタンバイ状態に移行する（ステップＳ２３）。その後、ＴＶ１は、ステップＳ１６に移行して処理を行う。
【００６１】
図４は、リピータ機器の電源オン／オフを制御するためのテーブルの一例を示す図である。前述の図２及び図３においては、フロー制御の例を示したが、ＴＶ１が、本例のテーブルを内部メモリに保持しておき、このテーブルにより電源オン／オフを制御するようにしてもよい。なお、リピータ機器がＡＶアンプであっても、ＨＤＭＩ-ＳＷであっても同様である。
【００６２】
本例のテーブルによれば、ＴＶ１に入力される映像及び音声信号がＡＶアンプ４を経由している場合、ＡＶアンプ４を介して接続されたソース機器が録画機器として選択設定されているか否かに係らず、ＡＶアンプ４の電源はオンに制御される。また、ＴＶ１に入力される映像及び音声信号がＡＶアンプ４を経由していない場合、ＡＶアンプ４を介して接続されたソース機器が録画機器として選択設定されていなければ、ＡＶアンプ４の電源はオフに制御され、一方、録画機器として選択設定されていれば、ＡＶアンプ４の電源はオンに制御される。
【００６３】
また、入力経路判定と設定状態判定の順序を逆にしてもよい。すなわち、ＡＶアンプ４を介して接続されたソース機器が録画機器として選択設定されていない場合、ＴＶ１に入力される映像及び音声信号がＡＶアンプ４を経由していれば、ＡＶアンプ４の電源はオンに制御され、一方、ＡＶアンプ４を経由していなければ、ＡＶアンプ４の電源はオフに制御される。また、ＡＶアンプ４を介して接続されたソース機器が録画機器として選択設定されている場合、ＴＶ１に入力される映像及び音声信号がＡＶアンプ４を経由しているか否かに係らず、ＡＶアンプ４の電源はオンに制御される。
【００６４】
図５は、本発明の第１の実施形態に係るＡＶシステムの構成例を模式的に示した図である。図中、１１は映像信号、１２は音声信号、１３はＨＤＭＩライン、１４は光デジタル音声ラインを示す。なお、ＴＶ１、ＡＶアンプ４、ＨＤＤレコーダ５は図１に示した構成と同様とする。本例では、ＴＶ１の内蔵チューナあるいは外部入力（ＨＤＭＩ以外）による映像及び音声信号を視聴する場合について説明する。
【００６５】
図５（Ａ）において、映像信号１１はＴＶ１から表示出力され、音声信号１２はＡＶアンプ４のスピーカから音声出力されているものとする。ユーザはＯＳＤメニューを操作して、ＡＶアンプ４からＴＶ１にスピーカ出力先の切り換えを行うと、図５（Ｂ）に示すように、映像信号１１及び音声信号１２はＴＶ１から出力されるようになる。この場合、映像１１及び音声信号１２はＡＶアンプ４を経由していないため、電源を入れておく必要がない。このため、ＴＶ１は、ＡＶアンプ４に対して電源オフを指示するＣＥＣメッセージを送信する。このように、音声信号の出力先をＡＶアンプ４からＴＶ１に切り換えたときに、ＴＶ１においてＨＤＭＩ以外のチューナや外部入力を選択している場合や、ＴＶ１においてＡＶアンプ４が接続されていない入力端子を選択している場合には、ＡＶアンプ４に対して電源オフの制御を行う。
【００６６】
図６は、本発明の第１の実施形態に係るＡＶシステムの他の構成例を模式的に示した図である。本例では、ＨＤＤレコーダ５からの映像及び音声信号を視聴する場合について説明する。
【００６７】
図６（Ａ）において、映像信号１１はＴＶ１から表示出力され、音声信号１２はＡＶアンプ４のスピーカから音声出力されているものとする。ユーザはＯＳＤメニューを操作して、ＡＶアンプ４からＴＶ１にスピーカ出力先の切り換えを行うと、図６（Ｂ）に示すように、映像信号１１及び音声信号１２はＴＶ１から出力されるようになる。この場合、映像信号１１及び音声信号１２はＡＶアンプ４を経由しているため、電源をオフしてしまうと、ＡＶアンプ４から映像信号１１及び音声信号１２が転送されない場合がある。このため、ＴＶ１は、ＡＶアンプ４に対して電源オンのままミュート状態に指示するＣＥＣメッセージを送信する。このように、音声信号の出力先をＡＶアンプ４からＴＶ１に切り換えたときに、ＴＶ１においてＡＶアンプ４が接続されている入力端子を選択している場合には、ＡＶアンプ４の電源をオンのままミュート状態にする。
【００６８】
このように、本実施形態によれば、表示装置へ入力される映像及び音声信号がリピータ機器を経由している場合にはリピータ機器を電源オンのままミュート状態に制御し、一方、映像及び音声信号がリピータ機器を経由していない場合にはリピータ機器を電源オフに制御することができるため、表示装置における視聴を妨げることなく、ＡＶシステム全体の消費電力を低減することができる。
【００６９】
（第２の実施形態）
ＡＶアンプやＨＤＭＩスイッチャ等のリピータ機器の中には、スタンバイ状態（電源オフ）であっても、映像及び音声信号をＴＶに中継（スルー）できる機能を備えた機器も存在する。従って、本実施形態では、リピータ機器がこのような機能を備えているかどうか事前に判定し、スタンバイ時に映像及び音声信号をスルーできるようであれば、ＴＶに入力される映像及び音声信号がリピータ機器を経由していても、リピータ機器の電源をオフするように制御する。
【００７０】
本実施形態の場合、前述の電源制御手段に相当するマイコン１１５は、リピータ機器であるＡＶアンプ４がスタンバイ状態において映像及び音声信号を転送可能であるかどうか判定する。この判定処理は、例えば、ＴＶ１にＡＶアンプ４がＨＤＭＩ接続されたとき等に実行すればよい。すなわち、マイコン１１５は、ＣＥＣインタフェースを制御して、ＡＶアンプ４に対して、スタンバイ状態において映像及び音声信号を転送可能な機器であるか問い合わせるＣＥＣメッセージを送信し、ＡＶアンプ４がこのＣＥＣメッセージに応答すれば、スタンバイ状態で映像及び音声信号を転送可能な機器と判定し、一方、ＡＶアンプ４から応答がなければ、スタンバイ状態で映像及び音声信号を転送できない機器と判定される。このＣＥＣメッセージとしては、例えば、メーカ独自に定義されるベンダメッセージを用いることができる。
【００７１】
そして、マイコン１１５は、ＡＶアンプ４がスタンバイ状態において映像及び音声信号を転送可能である場合、ＣＥＣインタフェースを制御して、ＴＶ１に入力される映像及び音声信号の入力経路に係らず、ＡＶアンプ４を電源オフに制御するためのＣＥＣメッセージを送信する。
【００７２】
図７は、本発明の第２の実施形態に係るＡＶシステムの構成例を模式的に示した図である。本例では、前述の図６に示したＡＶシステムの構成と同様に、ＨＤＤレコーダ５からの映像及び音声信号を視聴する場合について説明する。なお、ＴＶ１は、上記の処理を行うことにより、ＡＶアンプ４がスタンバイ状態であっても映像及び音声信号を転送できることが予めわかっている。
【００７３】
図７（Ａ）において、映像信号１１はＴＶ１から表示出力され、音声信号１２はＡＶアンプ４のスピーカから音声出力されているものとする。ユーザはＯＳＤメニューを操作して、ＡＶアンプ４からＴＶ１にスピーカ出力先の切り換えを行うと、図７（Ｂ）に示すように、映像信号１１及び音声信号１２はＴＶ１から出力されるようになる。本例の場合、ＡＶアンプ４がスタンバイ状態であっても映像及び音声信号を転送できるため、ＡＶアンプ４の電源をオフにすることができる。このため、ＴＶ１は、ＡＶアンプ４に対して電源オフに指示するＣＥＣメッセージを送信する。ＡＶアンプ４は、ＴＶ１からのＣＥＣメッセージを受けて、図７（Ｃ）に示すように、電源をオフしてスタンバイ状態に移行する。
【００７４】
このように、本実施形態によれば、音声信号の出力先をＡＶアンプ４からＴＶ１に切り換えたときに、ＴＶ１においてＡＶアンプ４が接続されている入力端子を選択しているかどうかに係らず、ＡＶアンプ４の電源をオフにすることができる。
【００７５】
（第３の実施形態）
ＡＶアンプはＨＤＭＩ入力以外にアナログ入力や光デジタル入力などを備え、これらにＣＤプレーヤ等の音楽再生機器を接続し、スピーカから音声出力させることができる。通常、ＡＶアンプの入力切換（例えば、ＨＤＭＩ入力からアナログ入力への切換など）はユーザが手動操作することで行っている。ＡＶアンプに対してユーザ操作による入力切換が行われた後に、音声信号の出力先がＡＶアンプからＴＶへ切り換えられると、ＴＶは、前述の第２の実施形態で説明したように、ＡＶアンプに対して、電源オフに制御するためのＣＥＣメッセージを送信し、ＡＶアンプは、これに応じて、電源をオフしてしまう。この際、ＡＶアンプの入力がＨＤＭＩ入力の場合、ＡＶアンプが電源オフでも音声信号を転送可能な機種であれば、問題ないが、ＡＶアンプの入力がアナログ入力の場合、電源オフしてしまうと、音声信号を出力できなくなるという問題が生じる。
【００７６】
この問題に対して、本実施形態のＡＶアンプは、ＨＤＭＩ入力か、それ以外の入力（アナログ入力，光デジタル入力など）かを判定し、ＨＤＭＩ以外の入力の場合、音声信号の出力先がＡＶアンプからＴＶへ切り換えられたときにＴＶから送信されるＣＥＣメッセージを無視し、電源をオフしないように制御する。
【００７７】
図８は、本発明の第３の実施形態に係るＡＶシステムの構成例を模式的に示した図である。図中、８はＣＤプレーヤ、１５はアナログ音声ラインを示す。本例において、ＡＶアンプ４はＣＤプレーヤ８をアナログ接続し、ＨＤＤレコーダ５からの映像信号１１をＴＶ１で表示させると共に、ＣＤプレーヤ８からの音声信号１２′をＡＶアンプ４から出力させる場合について説明する。
【００７８】
図８（Ａ）において、ユーザはＨＤＤレコーダ５からの映像及び音声信号を視聴している状態、すなわち、映像信号１１はＴＶ１から表示出力され、音声信号１２はＡＶアンプ４のスピーカから音声出力されているものとする。ここで、図８（Ｂ）に示すように、ユーザはＡＶアンプ４の入力を手動で切り換えて、ＡＶアンプ４のスピーカから出力させる音声信号をＨＤＤレコーダ５からＣＤプレーヤ８に切り換える。
【００７９】
図８（Ｂ）に示す状態において、音声信号の出力先をＡＶアンプ４からＴＶ１へ切り換えたときに、ＴＶ１は、ＡＶアンプ４に対して、電源オフを指示するＣＥＣメッセージを送信する。ＡＶアンプ４は、このＣＥＣメッセージを受けて、音声信号の入力元がＨＤＭＩ入力か、アナログ入力かを判定し、アナログ入力、すなわちＣＤプレーヤ８である場合、ＴＶ１からのＣＥＣメッセージを無視して、電源をオフしない。また、ＨＤＭＩ入力、すなわちＨＤＤレコーダ５である場合、ＴＶ１からのＣＥＣメッセージに従って、電源をオフする。
【００８０】
図９は、本発明の第３の実施形態に係るＡＶシステムの他の構成例を模式的に示した図である。本例において、ＡＶアンプ４はＣＤプレーヤ８をアナログ接続し、チューナ１０３あるいは外部入力部１０４からの映像信号１１をＴＶ１で表示させると共に、ＣＤプレーヤ８からの音声信号１２′をＡＶアンプ４から出力させる場合について説明する。
【００８１】
図９（Ａ）において、ユーザはチューナ１０３あるいは外部入力部１０４からの映像及び音声信号を視聴している状態、すなわち、映像信号１１はＴＶ１から表示出力され、音声信号１２はＴＶ１のスピーカから音声出力されているものとする。ここで、図９（Ｂ）に示すように、ユーザはＴＶ１でテレビ番組等を視聴しながら、ＡＶアンプ４を手動で操作して、ＡＶアンプ４からＣＤプレーヤ８の音声信号を出力させる。なお、本例では、ＡＶアンプ４にヘッドホンを接続し、ヘッドホンでＣＤプレーヤ８の音楽を聴くことを想定している。
【００８２】
図９（Ｂ）に示す状態において、音声信号の出力先をＡＶアンプ４からＴＶ１へ切り換えたときに、ＴＶ１は、ＡＶアンプ４に対して、電源オフを指示するＣＥＣメッセージを送信する。ＡＶアンプ４は、このＣＥＣメッセージを受けて、音声信号の入力元がＨＤＭＩ入力か、アナログ入力かを判定し、アナログ入力、すなわちＣＤプレーヤ８である場合、ＴＶ１からのＣＥＣメッセージを無視して、電源をオフしない。また、ＨＤＭＩ入力、すなわちＨＤＤレコーダ５である場合、ＴＶ１からのＣＥＣメッセージに従って、電源をオフする。
【図面の簡単な説明】
【００８３】
【図１】本発明の第１の実施形態に係るＡＶシステムの構成例を示すブロック図である。
【図２】リピータ機器にＨＤＭＩ-ＳＷを適用した場合のＡＶシステムの動作例を説明するためのフロー図である。
【図３】リピータ機器にＡＶアンプを適用した場合のＡＶシステムの動作例を説明するためのフロー図である。
【図４】リピータ機器の電源オン／オフを制御するためのテーブルの一例を示す図である。
【図５】本発明の第１の実施形態に係るＡＶシステムの構成例を模式的に示した図である。
【図６】本発明の第１の実施形態に係るＡＶシステムの他の構成例を模式的に示した図である。
【図７】本発明の第２の実施形態に係るＡＶシステムの構成例を模式的に示した図である。
【図８】本発明の第３の実施形態に係るＡＶシステムの構成例を模式的に示した図である。
【図９】本発明の第３の実施形態に係るＡＶシステムの他の構成例を模式的に示した図である。
【符号の説明】
【００８４】
１…表示装置（ＴＶ）、２…ＢＤプレーヤ、３…ＤＶＤレコーダ、４…ＡＶアンプ、５…ＨＤＤレコーダ、６…ＤＶＤプレーヤ、７…ＨＤＭＩケーブル、７ａ…ＣＥＣライン、７ｂ…ＨＤＭＩライン、８…ＣＤプレーヤ、１０１…ＬＣＤ、１０２…ＬＣＤコントローラ、１０３…チューナ、１０４…外部入力部、１０５，４１０…オーディオＳＷ、１０６，４０４…ＨＤＭＩレシーバ、１０７，４０５…ＨＤＭＩ端子１、１０８，４０６…ＨＤＭＩ端子２、１０９…ＨＤＭＩ端子３、１１０…アナログ出力部、１１１…光デジタル音声端子（出力）、１１２，４１１…音声出力端子、１１３，１１４，４１２，４１３…スピーカ、１１５，４１４…マイコン、１１６，４０３…ビデオＳＷ、２０１，３０１，４０１，５０１，６０１…ＨＤＭＩ端子、４０２…ＨＤＭＩトランスミッタ、４０７…アナログ入力部、４０８…ＡＤコンバータ、４０９…光デジタル音声端子（入力）。
【図１】
0005013527.tif 000002
【図２】
0005013527.tif 000003
【図３】
0005013527.tif 000004
【図４】
0005013527.tif 000005
【図５】
0005013527.tif 000006
【図６】
0005013527.tif 000007
【図７】
0005013527.tif 000008
【図８】
0005013527.tif 000009
【図９】
0005013527.tif 000010